(57)【特許請求の範囲】
【請求項１】
（Ａ）心理的ストレス負荷後の顔面及び指尖の皮膚温度を測定するための機器、並びに
（Ｂ）体質分類プロトコール
を含有する体質分類キットであって、
前記（Ｂ）の体質分類プロトコールが、下記分類基準（Ｂ）：
体質（Ｉ）：心理的ストレス負荷後における顔面及び指尖、或いは指尖のみの皮膚温度が平常時よりも上昇
体質（II）：心理的ストレス負荷後における顔面の皮膚温度が平常時から上昇又は変化なく、かつ心理的ストレス負荷後における指尖の皮膚温度が平常時よりも下降
体質（III）：心理的ストレス負荷後における顔面の皮膚温度が平常時よりも下降し、かつ心理的ストレス負荷後における指尖の皮膚温度が平常時よりも下降
の表示物を含む体質分類キット。
【請求項２】
前記（Ｂ）の体質分類プロトコールが、さらに頭部、頸部、及び末梢部から選ばれる１種又は２種以上の部位に対する冷却又は加温の対処を判別するプロトコールを含む請求項１に記載の、体質分類キット。
【請求項３】
冷却又は加温の対処が、冷却シート又は温熱シートの貼付である請求項２に記載の体質分類キット。
【請求項４】
自律神経活動調整用キットである、請求項１〜３のいずれか１項に記載の体質分類キット。
【請求項５】
（Ｘ）心理的ストレス負荷前後の顔面及び指尖の皮膚温度の測定データ入力部、
（Ｙ）体質分類プロトコールを含むデータベース、並びに
（Ｚ）分類された体質に従った処置手段のアドバイスを含むデータベース
を備える体質改善用商品推奨システムであって、
前記（Ｙ）の体質分類プロトコールが、下記分類基準（Ｙ）：
体質（Ｉ）：心理的ストレス負荷後における顔面及び指尖、或いは指尖のみの皮膚温度が平常時よりも上昇
体質（II）：心理的ストレス負荷後における顔面の皮膚温度が平常時から上昇又は変化なく、かつ心理的ストレス負荷後における指尖の皮膚温度が平常時よりも下降
体質（III）：心理的ストレス負荷後における顔面の皮膚温度が平常時よりも下降し、かつ心理的ストレス負荷後における指尖の皮膚温度が平常時よりも下降
のデータを含む体質改善用商品推奨システム。
【請求項６】
前記（Ｚ）の処置手段のアドバイスが、頭部、頸部、及び末梢部から選ばれる１種又は２種以上の部位に対する冷却シート又は温熱シートの貼付である請求項５に記載の体質改善用商品推奨システム。
【請求項７】
平常時及び心理的ストレス負荷後における顔面及び指尖の皮膚温度の測定値を用い、体質分類プロトコールに従って、個々人のストレス応答体質を分類する方法であって、
前記体質分類プロトコールが、下記分類基準（１）：
体質（Ｉ）：心理的ストレス負荷後における顔面及び指尖、或いは指尖のみの皮膚温度が平常時よりも上昇
体質（II）：心理的ストレス負荷後における顔面の皮膚温度が平常時から上昇又は変化なく、かつ心理的ストレス負荷後における指尖の皮膚温度が平常時よりも下降
体質（III）：心理的ストレス負荷後における顔面の皮膚温度が平常時よりも下降し、かつ心理的ストレス負荷後における指尖の皮膚温度が平常時よりも下降
の表示物を含むストレス応答体質を分類する方法。
【発明の詳細な説明】
【技術分野】
【０００１】
本発明は、体質分類キット及び体質改善用商品推奨システムに関する。
【背景技術】
【０００２】
近年、医学の主流である西洋医学の進歩により、人々の様々な疾病の予防や治療等が可能となり、飛躍的に寿命も延びている。その反面、現代社会における種々の事象により、日常生活において、身体的には健康体でありながらストレスを抱えている人々も少なくない。こうしたストレスが過剰になると、生体バランスが崩れる場合もあり、ひいては疾病を誘発する要因ともなりかねず、健やかで快適な日常生活が脅かされるおそれがあるものの、疾病の予防や治療等でない限り西洋医学によって適切に対処するのは困難である。また、ストレスに対する自覚や反応には個人差もあることから、これらに基づいて客観的に体質を判別したり、或いはその対処方法を選択したりすることも未だ試みられていない。
【０００３】
一方、漢方医学においては、例えば特許文献１に開示されるように、額部での皮下水分量や皮下電解質濃度等の測定結果に基づいて、「お血」「血虚」「水滞」等の体質に分類する方法が知られている。また、特許文献２に開示されるように、こうした医学の分野に限られることなく、特定の設問により顧客に対して行ったアンケートに基づき、分類された「外」又は「内」、或いは「冷」又は「熱」等の体質概念のいずれかに該当するかを特定する判定方法も知られている。
【先行技術文献】
【特許文献】
【０００４】
【特許文献１】特開２０１１−２５４９９０号公報
【特許文献２】特開２０１１−８７９１９号公報
【発明の概要】
【発明が解決しようとする課題】
【０００５】
しかしながら、いずれの文献においても、本人の自覚を元とした体質分類法が主であり、依然としてストレスへの対処方法を適切に選択することすらできない状況にある。また冷えやほてりなどの本人の自覚は、環境温度やその変化に依存して自覚することが多く、個々の体質を間違って認識してしまう可能性ある。すなわち、これらの文献においては、ストレスによって生じる個々人の生理反応を元に体質を分類しようとすることには何ら着目していない。
【０００６】
したがって、本発明は、心理的ストレスの負荷によって生じる皮膚温度の測定データやその変動を元に、個々人の体質を分類することのできる体質分類キット、体質改善用商品推奨システム、体質改善用商品推奨システム等を提供することにある。
【課題を解決するための手段】
【０００７】
そこで本発明者らは、種々検討したところ、心理的ストレス負荷後の顔面及び指尖の皮膚温度の測定結果と、体質分類プロトコールとを併用することにより、健常者を対象としつつ治療行為や医療行為によることなく、客観的に心理的ストレス負荷による体質を分類することのできる体質分類キット、並びに体質改善用商品推奨システムが実現できることを見出し、本発明を完成させるに至った。
【０００８】
すなわち、本発明は、（Ａ）心理的ストレス負荷後の顔面及び指尖の皮膚温度を測定するための機器、並びに
（Ｂ）体質分類プロトコール
を含有する、体質分類キットに関する。
また、本発明は、（Ｘ）心理的ストレス負荷前後の顔面及び指尖の皮膚温度の測定データ入力部、
（Ｙ）体質分類プロトコールを含むデータベース、並びに
（Ｚ）分類された体質に従った処置手段のアドバイスを含むデータベース
を備える、体質改善用商品推奨システムに関する。
さらに、本発明は、平常時及び心理的ストレス負荷後における顔面及び指尖の皮膚温度の測定値を用い、体質分類プロトコールに従って、個々人のストレス応答体質を分類する方法、並びにかかる方法によって自律神経活動を調節する方法に関する。
【発明の効果】
【０００９】
本発明によれば、平常時及び心理的ストレス負荷後の顔面及び指尖の皮膚温度を測定するだけで、治療行為や医療行為によることなく健常者のストレス応答体質を分類することができ、またその結果に応じて体質改善用商品を推奨したり、自律神経活動を効果的に調節したりすることができる。
【図面の簡単な説明】
【００１０】
【図１】本発明の体質分類キットを用い、４名のパネラーの額、後頸、目、及び手掌に冷たいおしぼりを適用した際の、副交感神経活動の適用前に対する相対値の平均を示すグラフである。
【図２】本発明の体質分類キットを用い、４名のパネラーの額、後頸、目、及び手掌に温かいおしぼりを適用した際の、副交感神経活動の適用前に対する相対値の平均を示すグラフである。
【図３】本発明の体質改善用商品推奨システムを示すブロック図である。
【図４】実施例における、心理的ストレス負荷後の顔面及び指尖の皮膚温度の測定値、並びに体質分類プロトコールを用いてパネラーの体質を分類した結果を示すグラフである。
【発明を実施するための形態】
【００１１】
以下、本発明について詳細に説明する。
本発明の体質分類キットは、（Ａ）心理的ストレス負荷後の顔面及び指尖の皮膚温度を測定するための機器、並びに
（Ｂ）体質分類プロトコール
を含有する。
【００１２】
本発明の体質分類キットに含有される前記（Ａ）の心理的ストレス負荷後の顔面及び指尖の皮膚温度を測定するための機器（以下、「前記（Ａ）の測定機器」とも称する）は、顔面及び指尖の皮膚温度を測定することができる機器であれば、いずれを用いてもよい。前記（Ａ）の測定機器としては、具体的には、例えば、赤外線を利用し、温度分布を映像化できる機能を備えたサーモグラフィ、センサー内蔵のプローブを備えたサーモメータ―、皮膚に貼付して用いるプローブを備えたサーモメータ―、非接触式体温計、接触式体温計等が挙げられる。なかでも、測定精度を高める観点、及び測定時間の短縮化を図る観点から、サーモグラフィが好ましい。
【００１３】
皮膚温度を測定する顔面としては、額、目、頬、鼻、顎等の部位が挙げられる。なかでも、部位面積が広く体質分類を的確に実施する観点から、額であるのが好ましい。
【００１４】
皮膚温度を測定する指尖としては、第一指から第五指のうちのいずれであってもよいが、測定の容易性等の観点から、第二指又は第三指であるのが好ましい。
【００１５】
前記（Ａ）の測定機器は、平常時及び心理的ストレス負荷後の顔面及び指尖の皮膚温度を測定するためのものである。心理的ストレス負荷とは、皮膚温度の測定に影響がない方法を用いて心理的ストレスを負荷することを意味するものである。かかる方法としては、具体的には、減算を頭の中だけで計算する方法が挙げられ、例えば、実施例に記載の方法のように、２０１４から１７を繰り返し減算し続ける方法が挙げられる。また、別の計算の種類（加算、掛け算、割り算など）や異なる計算式によっても、同様の心理的ストレスを負荷させることもできる。計算する時間（心理的ストレスを負荷する時間）は、適宜調整することができるが、１分以上であるのが望ましい。
【００１６】
本発明の体質分類キットに含有される前記（Ｂ）の体質分類プロトコールとは、前記（Ａ）の測定機器を用いて測定された心理的ストレス負荷後の顔面及び指尖の皮膚温度の値を元にして、体質を分類するためのプロトコールであり、体質を分類するための分類基準を示す表示物を含むものであればよい。かかる表示物としては、例えば、紙媒体に記載された文字列や一覧表、或いはＰＣ端末にインプットされたデータ等が挙げられる。
【００１７】
かかる表示物に示される分類基準としては、以下の基準（体質（Ｉ）〜体質（III）への分類基準（Ｂ））が挙げられる。
体質（Ｉ）：心理的ストレス負荷後における顔面及び指尖、或いは指尖のみの皮膚温度が平常時よりも上昇
体質（II）：心理的ストレス負荷後における顔面の皮膚温度が平常時から上昇又は変化なく、かつ心理的ストレス負荷後における指尖の皮膚温度が平常時よりも下降
体質（III）：心理的ストレス負荷後における顔面の皮膚温度が平常時よりも下降し、かつ心理的ストレス負荷後における指尖の皮膚温度が平常時よりも下降
【００１８】
なお、平常時の皮膚温度とは、心理的ストレス負荷前の皮膚温度を意味し、「心理的ストレス負荷後における顔面の皮膚温度が平常時よりも上昇」における具体的な皮膚温度の変化量は、使用する測定機器の精度にも左右され得るため、使用する測定機器に応じて適宜決定するのが望ましい。例えば、前記（Ａ）の測定機器としてサーモグラフィ（具体的には、例えば赤外線サーモグラフィカメラ（ＮＥＣ−ＡＶＩＯ社製、Ｒ３００Ｗ２））を用いた場合、「心理的ストレス負荷後における顔面の皮膚温度が平常時よりも上昇」とは、「心理的ストレス負荷後における顔面の皮膚温度の平常時からの変化量が＋０．０５℃以上である」と決定するのが好ましく、（心理的ストレス負荷後に測定した顔面の皮膚温度）−（心理的ストレス負荷前（平常時）に測定した顔面の皮膚温度）の結果（差）が＋０．０５℃以上であることを意味し、すなわち心理的ストレス負荷後に顔面の皮膚温度が０．０５℃以上上昇したことを意味することとなる。
【００１９】
また、「心理的ストレス負荷後における顔面の皮膚温度が平常時よりも下降」における具体的な皮膚温度の変化量も、上記と同様であり、例えば、前記（Ａ）の測定機器として上記サーモグラフィを用いた場合、「心理的ストレス負荷後における顔面の皮膚温度が平常時よりも下降」とは、「心理的ストレス負荷後における顔面の皮膚温度の平常時からの変化量が−０．０５℃以上である」と決定するのが好ましく、（心理的ストレス負荷後における顔面の皮膚温度）−（心理的ストレス負荷前（平常時）に測定した顔面の皮膚温度）の結果（差）が−０．０５℃以上であることを意味し、すなわち心理的ストレス負荷後に顔面の皮膚温度が−０．０５℃以上低下したことを意味することとなる。
なお、「指尖の皮膚温度」についても、上記と同様に決定すればよい。
【００２０】
さらに、「心理的ストレス負荷後における顔面の皮膚温度が平常時から変化なく」とは、上記皮膚温度の上昇の変化量や下降の変化量につき、使用する測定機器の精度や測定環境温度に応じて、具体的に決定した値よりも上昇した皮膚温度の変化量の値及び下降した皮膚温度の変化量の値が小さい場合を意味する。例えば、前記（Ａ）の測定機器として上記サーモグラフィを用いた場合、（心理的ストレス負荷後に測定した顔面の皮膚温度）−（心理的ストレス負荷前（平常時）に測定した顔面の皮膚温度）の結果（差）が＋０．０５℃未満であり、かつ（心理的ストレス負荷後における顔面の皮膚温度）−（心理的ストレス負荷前（平常時）に測定した顔面の皮膚温度）の結果（差）が−０．０５℃未満であることを意味することとなる。
【００２１】
かかる表示物を含む前記（Ｂ）の体質分類プロトコールであれば、心理的ストレスが負荷された際の冷えやのぼせ等の自覚等の反応における個人差に左右されることなく、客観的に体質を分類することが可能である。
分類基準（Ｂ）の表示物としては、例えば紙媒体に表示された表（例えば、下記表１）であってもよく、或いはＰＣ端末やサーバにインプットされたデータであってもよい。下記に示す表を用いる場合、使用する測定機器の精度や測定環境温度に応じて適宜決定した皮膚温度の変化量にしたがって、記載する条件に合致するかしないかにより、体質（Ｉ）〜（III）に分類することができる。
【００２２】
なお、顔面及び指尖の心理的ストレス負荷前及び心理的ストレス負荷後における各皮膚温度を以下の記号により示すこととする。
Ｓｂ＝心理的ストレス負荷前における顔面の皮膚温度（℃）
Ｓａ＝心理的ストレス負荷後における顔面の皮膚温度（℃）
Ｔｂ＝心理的ストレス負荷前における指尖の皮膚温度（℃）
Ｔａ＝心理的ストレス負荷後における指尖の皮膚温度（℃）
【００２３】
【表１】
0006712488.tif 000002
【００２４】
このように、本発明の体質分類キットを用いれば、まずかかる体質分類キットに含有される前記（Ａ）の測定機器によって、Ｓｂ（心理的ストレス負荷前における顔面の皮膚温度）、Ｓａ（心理的ストレス負荷後における顔面の皮膚温度）、Ｔｂ（心理的ストレス負荷前における指尖の皮膚温度）、及びＴａ（心理的ストレス負荷後における指尖の皮膚温度）を測定し、かかる値を元に前記（Ｂ）の体質分類プロトコールを用いて、体質（Ｉ）〜（III）に分類することができる。
【００２５】
さらに、前記（Ｂ）の体質分類プロトコールは、頭部、頸部、及び末梢部から選ばれる１種又は２種以上の部位に対する冷却又は加温の対処を判別するプロトコールを含むことができる。
【００２６】
ここで、例えば本発明の体質分類キットを用い、４名のパネラーに対して上記心理的ストレスを負荷し、前記（Ａ）の測定機器として、上記サーモグラフィを用い、負荷前と負荷後の顔面及び指尖の皮膚温度を測定した後、分類基準（Ｂ）の表示物を含む前記（Ｂ）の体質分類プロトコールを用いて体質（Ｉ）〜（III）に分類した。次いで、冷たい（約２５℃）おしぼり及び温かい（約４０℃）おしぼりを接触面積が約７５ｃｍ2になるように額、後頸、目、及び手掌に各々５分間適用し、アクティブトレーサー(ＧＭＳ社製)を用いて、心電図波形のＲ波−Ｒ波の間隔の周波数解析から低周波数帯の心拍変動パワー(ＬＦ)及び高周波数帯の心拍変動パワー(ＨＦ)を求め、ストレス指標である副交感神経活動ＨＦ／(ＬＦ＋ＨＦ）を解析した。各パネラーの副交感神経活動について、平常時（おしぼり適用前）に対するおしぼりを適用した際の副交感神経活動の相対値を測定したところ、図１及び図２に示す結果が得られた。図１及び２において、副交感神経活動相対値が１を超える場合には、副交感神経活動が亢進し、ストレスが軽減されたことを示している。
なお、上記のとおり、個々の体質分類には、皮膚温度の上昇の場合における変化量の値を＋０．０５℃以上、皮膚温度の下降の場合における変化量の値を−０．０５℃以上、及び皮膚温度に変化なしの場合における変化量の値を＋０．０５℃未満かつ−０．０５℃未満と決定した。
【００２７】
かかる結果によれば、副交感神経活動を亢進させてリラックス感を効果的に高めようとするにあたり、体質（Ｉ）〜（III）によって、冷却又は加温するのに好適な部位が異なることがわかる。具体的には、例えば体質（Ｉ）に該当する場合、目を冷却すると副交感神経活動が効果的に高められるのに対し、体質（III）に該当する場合、目を冷却しても左程効果がなく、逆に加温すると副交感神経活動が効果的に高められることがわかる。
【００２８】
したがって、頭部、頸部、及び末梢部から選ばれる１種又は２種以上の部位に対する冷却又は加温の対処を判別するプロトコールとは、体質（Ｉ）〜（III）の別に応じ、各々に適した冷却又は加温の対処を施す部位の表示物であり、例えば紙媒体に表示された表であってもよく、或いはＰＣ端末やサーバにインプットされたデータであってもよい。具体的には、例えば、前記（Ｂ）の体質分類プロトコールが、分類基準（Ｂ）の表示物とともに、頭部、頸部、及び末梢部から選ばれる１種又は２種以上の部位に対する冷却又は加温の対処を判別するプロトコールである表示物を含む場合、下記表２に示す表示物であってもよい。
【００２９】
【表２】
0006712488.tif 000003
【００３０】
ここで、冷却又は加温の対処の対象となる頭部とは、頸部よりも上方の部位であって顔面を含み、前頭部や後頭部、頭頂部や側頭部を意味する。また、顔面は上記皮膚温度を測定する対象となる顔面と同義であり、額、目、頬、鼻、顎等の部位が挙げられる。かかる頭部のなかでも、体質分類を的確に実施する観点から、額、目が好ましい。また、頸部とは、頭部と胸部の中間に位置する部位を意味し、前頸部、側頸部、及び後頸部があるが、冷却又は加温の効果を高める観点から、後頸部が好ましい。さらに末梢部とは、外界と直接接触しやすい先端部位を意味し、指尖や手掌等の手、足首や足指等の足が挙げられ、なかでも、部位面積が広く、冷却又は加温の対処が容易である観点から、手掌が好ましい。
【００３１】
また、冷却の対処とは、対処の対象部位の皮膚温度を好ましくは１〜１０℃、より好ましくは２〜７℃低下させる手段を意味し、加温の対処とは、対処の対象部位の皮膚温度を好ましくは１〜７℃、より好ましくは２〜５℃上昇させる手段を意味する。かかる冷却や加温の対処を施す場合、上記のように冷却又は加温したおしぼりを用いてもよいが、操作容易性等の観点から、冷却シート又は温熱シートを貼付するのが好ましい。
【００３２】
上記のとおり、本発明の体質分類キットによれば、心理的ストレス負荷前後の顔面及び指尖の皮膚温度を測定するのみで、体質（Ｉ）〜（III）への分類が容易となり、またかかる体質分類キットが、頭部、頸部、及び末梢部から選ばれる１種又は２種以上の部位に対する冷却又は加温の対処を判別するプロトコールを含む前記（Ｂ）の体質分類プロトコールを含有する場合、副交感神経活動を効果的かつ効率的に亢進させてリラックス感を高めることができることから、自律神経活動調整用キットとしても有用である。
【００３３】
本発明は、例えばコンピュータネットワークを介し、
（Ｘ）心理的ストレス負荷前後の顔面及び指尖の皮膚温度の測定データ入力部、
（Ｙ）体質分類プロトコールを含むデータベース、並びに
（Ｚ）分類された体質に従った処置手段のアドバイスを含むデータベース
を備える体質改善用商品推奨システムであってもよい。これにより、心理的ストレス負荷前後の顔面及び指尖の皮膚温度の測定データを取得して入力するのみで、適合する体質を抽出し、その体質に見合った体質改善用の商品を適切かつ迅速に推奨することができる。
【００３４】
具体的には、例えば、本発明の体質改善用商品推奨システムは、図３のブロック図に示される。本発明の体質改善用商品推奨システム１００は、前記（Ｘ）の心理的ストレス負荷前後の顔面及び指尖の皮膚温度の測定入力部２００、前記（Ｙ）の体質分類プロトコールを含むデータベース３００、及び前記（Ｚ）の分類された体質に従った処置手段のアドバイスを含むデータベース４００を備える。測定入力部２００は、ＰＣ端末２１０を単数又は複数備えるものであってもよく、この際、ＰＣ端末２１０のキーボードを介して心理的ストレス負荷前後に測定した顔面及び指尖の皮膚温度の値を入力することができる。
【００３５】
入力された皮膚温度の値は、通信可能な回線２２０を介し、汎用コンピュータであるサーバー５００に伝送される。かかるサーバー５００には、体質分類プロトコールを含むデータベース３００を格納しており、さらに分類された体質に従った処置手段のアドバイスを含むデータベース４００を格納していてもよい。データベース３００に含まれる体質分類プロトコールは、上記体質分類キットに含有される「前記（Ｂ）の体質分類プロトコール」と同義であって、データ化されたプロトコールである。すなわち、前記（Ｙ）の体質分類プロトコールは、分類基準（Ｙ）のデータを含み、分類基準（Ｙ）は上記分類基準（Ｂ）と同義である。また、データベース４００に含まれる分類された体質に従った処置手段のアドバイスとは、上記体質分類キットに含有されていてもよい「頭部、頸部、及び末梢部から選ばれる１種又は２種以上の部位に対する冷却又は加温の対処を判別するプロトコール」と同様、冷却又は加温の対処を判別し、さらに冷却の対処に該当する場合は、冷却が可能な改質改善用商品を用いるべき旨のアドバイス、加温の対処に該当する場合は、加温が可能な体質改善用商品を用いるべき旨のアドバイスを提示し、かかる商品を適用するのに適した部位も提示する。
【００３６】
皮膚温度の値が伝送されたサーバー５００では、かかる値のデータを元に、必要に応じて演算処理を行いながらＳｂ、Ｓａ、Ｔｂ、又はＴａの値を算出する。次いで、算出された値に基づき、体質分類プロトコールを含むデータベース３００を参照することによって、体質（Ｉ）〜（III）へ分類する処理を行う。
【００３７】
次に、分類された体質のデータは、分類された体質に従った処置手段のアドバイスを含むデータベース４００を参照しながら、各体質に応じた具体的な処置手段として、頭部、頸部、及び末梢部から選ばれる１種又は２種以上の部位に対する冷却又は加温のアドバイスを出力する。出力（図示せず）は、表示部を備えるＰＣ端末上での表示であってもよく、プリンターを介した紙媒体への印刷であってもよい。
【００３８】
体質改善用商品としては、例えば、所望の部位に貼付するだけで容易に冷却や加温が可能となる、冷感シート及び温感シートが挙げられる。したがって、前記頭部、頸部、及び末梢部から選ばれる１種又は２種以上の部位に対する冷却又は加温のアドバイスとは、それぞれ適切な部位への冷感シート又は温感シートの貼付であるのが好ましい。
【００３９】
上記のとおり、本発明の体質改善用商品推奨システムによれば、心理的ストレス負荷前後の顔面及び指尖の皮膚温度の測定データを入力するのみで、体質（Ｉ）〜（III）への分類を瞬時に行い、かかる情報を元に頭部、頸部、及び末梢部から選ばれる１種又は２種以上の部位のうち、適切な部位における冷却又は加温の対処を判別して、適切な処置対象部位の提示とともに各体質に見合った体質改善用商品を推奨することができる。
【００４０】
本発明は、平常時及び心理的ストレス負荷後における顔面及び指尖の皮膚温度の測定値を用い、体質分類プロトコールに従って、個々人のストレス応答体質を分類する方法であってもよい。平常時及び心理的ストレス負荷後における顔面及び指尖の皮膚温度の測定値、並びに体質分類プロトコールとは、上記体質分類キット又は体質改善用商品推奨システムで採用するものと同様である。かかるストレス応答体質を分類する方法によれば、心理的ストレスに対する応答の相違によって適切に分類することができ、その分類結果を活用することにより、個々人に応じて自律神経活動の調節の適切な対処を判別する指標とすることができる。
【００４１】
すなわち、本発明は、ストレス応答体質を分類する方法により分類された体質に応じ、体質（Ｉ）〜（III）に分類されたストレス応答体質に対し、頭部、頸部、及び末梢部から選ばれる１種又は２種以上の部位を冷却する又は加温する自律神経活動を調整する方法であってよい。かかる方法によれば、副交感神経活動を効果的かつ効率的に亢進させてリラックス感を高めることができる。
【００４２】
具体的には、例えば、図１〜２にも示したように、体質（Ｉ）に分類されたストレス応答に対しては、頭部、頸部、及び末梢部から選ばれる１種又は２種以上の部位を冷却する自律神経活動を調整する方法であるのが好ましく、また体質（II）に分類されたストレス応答に対しては、頭部、及び頸部から選ばれる１種又は２種以上の部位を冷却する自律神経活動を調整する方法であるのが好ましく、さらに体質（III）に分類されたストレス応答に対しては、頭部、及び頸部から選ばれる１種又は２種以上の部位を加温する自律神経活動を調整する方法であるのが好ましい。
なお、冷却又は加温の具体的手段としては、上記体質分類キット等と同様、冷却シート又は温熱シートの対象部位への貼付が好ましい。
【実施例】
【００４３】
以下、本発明について、実施例に基づき具体的に説明するが、本発明はこれら実施例に限定されるものではない。
【００４４】
パネラー１００名に対し、下記条件下で赤外線サーモグラフィ（２５℃５０％ＲＨ、ＮＥＣ−ＡＶＩＯ社製、Ｒ３００Ｗ２）を用い、以下の心理的ストレスを負荷する前の額の皮膚温度、及び指尖の皮膚温度を測定するとともに、心理的ストレスを負荷した後の額の皮膚温度、及び指尖の皮膚温度を測定した。なお、皮膚温度の上昇の場合における変化量の値を＋０．０５℃以上、皮膚温度の下降の場合における変化量の値を−０．０５℃以上、及び皮膚温度に変化なしの場合における変化量の値を＋０．０５℃未満かつ−０．０５℃未満と決定した。
得られた結果をグラフにプロットし、上記表１に示す分類基準（Ｂ）の表示部を含む体質分類プロトコールを用いて、各パネラーを体質（Ｉ）〜（III）に分類した。
結果を図４に示す。
【００４５】
《心理的ストレスの負荷方法》
体を動かさないようにして、２０１５から１７を減算し続ける計算を１分間行い、続いて２０１４から１３を減算し続ける計算を１分間行い、さらに２０１６から１７を減算し続ける計算を１分間行った。ただし、声を出して計算を行わないよう、予め被験者に注意喚起を行った。
【００４６】
《サーモグラフィの測定条件》
２５℃５０％ＲＨの環境で、心理的ストレスを負荷する前及び心理的ストレスを負荷した後の顔面と手掌の皮膚温度の測定を行った。データ解析の結果を元に、額及び指尖の皮膚温度を算出した。
【００４７】
図４に示されるように、上記サーモグラフィを用いて測定したＳｂ（心理的ストレス負荷前における顔面の皮膚温度）、Ｓａ（心理的ストレス負荷後における顔面の皮膚温度）、Ｔｂ（心理的ストレス負荷前における指尖の皮膚温度）、及びＴａ（心理的ストレス負荷後における指尖の皮膚温度）の値を元に、分類基準（Ｂ）の表示部を含む体質分類プロトコールによって、各パネラーの体質を体質（Ｉ）〜（III）に分類できることがわかる。
【００４８】
さらに、上記表４に示す頭部、頸部、及び末梢部から選ばれる１種又は２種以上の部位に対する冷却又は加温の対処を判別するプロトコールである表示物を用いれば、体質（Ｉ）〜（III）に応じて、各々の体質に適した冷却又は加温の対処、及びその対象部位を特定することもでき、各パネラーの副交感神経活動を亢進させてリラックス感を効果的に高められ、自律神経を有効に調整することが可能となる。
【符号の説明】
【００４９】
１００：本発明の体質改善用商品推奨システム
２００：心理的ストレス負荷前後の顔面及び指尖の皮膚温度の測定入力部（Ｘ）
２１０：ＰＣ端末
２２０：通信可能な廻旋
３００：体質分類プロトコールを含むデータベース（Ｙ）
４００：分類された体質に従った処置手段のアドバイスを含むデータベース（Ｚ）
５００：サーバー
【図１】
0006712488.tif 000004
【図２】
0006712488.tif 000005
【図３】
0006712488.tif 000006
【図４】
0006712488.tif 000007